(57)【要約】本発明は、超音波治療装置を開示し、ホスト（１）と治療パッチ（２）とを含み、ホストは、電源（１０１）、メインコントローラー（１０２）、入力パネル（１０３）、超音波発生器（１０４）を含み、治療パッチは、基材（２０１）と超音波プローブ（２０２）とを含み、メインコントローラーは、それぞれ電源、入力パネル、超音波発生器に接続され、超音波発生器は、超音波プローブに接続され、超音波プローブは、基材に取り付けられ、治療パッチの数は１つまたは複数であり、各治療パッチに含まれた超音波プローブの数は、１つまたは複数であり、単一の治療パッチの超音波プローブの数が複数である場合、超音波プローブは、基材にアレイ方式で配置される。前記装置を利用して、人体の様々な関節または部位に対する簡単で便利な、長期使用可能な、副作用無しの痛風治療が実現でき、患者の疼痛が緩和できる。
2021523815.tif 000002
【特許請求の範囲】
【請求項１】
ホスト（１）と治療パッチ（２）とを含み、ホストは、電源（１０１）、メインコントローラー（１０２）、入力パネル（１０３）、及び超音波発生器（１０４）を含み、治療パッチは、基材（２０１）と超音波プローブ（２０２）とを含み、メインコントローラーは、それぞれ電源、入力パネル、超音波発生器に接続され、超音波発生器は、超音波プローブに接続され、超音波プローブは、基材に取り付けられる超音波治療装置であって、
前記治療パッチの数は、１つまたは複数であり、各治療パッチに含まれた超音波プローブの数は、１つまたは複数であり、単一の治療パッチの超音波プローブの数が複数である場合、超音波プローブは、基材にアレイ方式で配置されることを特徴とする、前記超音波治療装置。
【請求項２】
前記超音波プローブのサイズは４ｍｍ２〜８ｃｍ２であり、厚さは≦１０ｍｍであることを特徴とする
請求項１に記載の超音波治療装置。
【請求項３】
前記超音波プローブのサイズは４ｍｍ２〜２ｃｍ２であることを特徴とする
請求項２に記載の超音波治療装置。
【請求項４】
前記超音波プローブの形状は円形であることを特徴とする
請求項２に記載の超音波治療装置。
【請求項５】
前記超音波プローブによって伝導される超音波出力は０．５〜５w／ｃｍ２であり、周波数は２００ＫＨｚ〜５ＭＨｚであることを特徴とする
請求項１に記載の超音波治療装置。
【請求項６】
前記超音波発生器は、断続的及び連続的な２つの放出モードであり、断続的な放出モードの断続的時間は１００〜１００００ｍｓであることを特徴とする
請求項１に記載の超音波治療装置。
【請求項７】
前記基材は、可撓性材料であり、基材は、接着性または吸着性を有する固定部を含むことを特徴とする
請求項１に記載の超音波治療装置。
【請求項８】
前記電源は、ＤＣバッテリー、または充電式バッテリー、または外部電源コンバーターであり、電源電圧は≦２０Ｖであることを特徴とする
請求項１に記載の超音波治療装置。
【請求項９】
前記治療パッチには、温度センサーをさらに含み、温度センサーは、メインコントローラーに接続され、メインコントローラーによって制御され、温度信号をメインコントローラーにフィードバックすることを特徴とする
請求項１に記載の超音波治療装置。
【請求項１０】
ホストと治療パッチが一つに統合されることを特徴とする
請求項１に記載の超音波治療装置。
【請求項１１】
痛風の治療及び疼痛の緩和に使用される、請求項１〜１０のいずれか一項に記載の超音波治療装置。
【発明の詳細な説明】
【技術分野】
【０００１】
本発明は、超音波治療の分野に関し、特に、痛風を治療し、疼痛を緩和するための装着可能な超音波治療装置に関する。
【背景技術】
【０００２】
痛風は、尿酸一ナトリウム（ｍｏｎｏｓｏｄｉｕｍ  ｕｒａｔｅ，ＭＳＵ）の沈着によって引き起こされる晶体関連関節症であり、プリン代謝の障害によって引き起こされる高尿酸、及び／または尿酸排泄の減少によって引き起こされる高尿酸血症に直接関連している。
【０００３】
痛風は、様々な症状があり、最も一般的なのは、急性痛風性関節炎であり、典型的な発作は、関節の影響を受けた突然の発赤、腫れ、熱及び痛みであり、最も一般的な影響を受ける関節は、第一の中足指節関節であり、足首、膝、足根のつま先の関節等も影響を受ける可能性があり、数日間経過すると緩和でき、定期的に発作する。病歴が長くて、繰り返して発作する患者は、痛風結節の沈着、関節破壊、機能喪失、断続的な消失が現れ、慢性痛風結節へ進行し、尿酸塩腎症、腎不全が発生する可能性があり、患者の生活に深刻な影響を及ぼし、人々の健康を危険にさらす。
【０００４】
現在の痛風治策すべては、尿酸レベルの制御から始まり、長期または生涯にわたって投薬を必要とし、根本的に痛風疾病自体を治療しない。西洋医学であろうと伝統的な中国医学であろうと、長期的に投薬すると以下の問題がある。第一、毒性副作用が大きいし、第二、患者のコンプライアンスが保証できないし、第三、薬のコストが高くて、患者に大きな経済的な負担をもたらす。
【０００５】
薬の代わりに安全で効果的な物理的療法を使用できれば、患者の身と心の健康に大きな利益がある。また、現代人の生活は忙しく、時間が貴重であり、病院への往復及び治療には時間がかかりすぎ、一部の重症患者には、体の不自由な人もいるし、長期的に病院へ往復しながら治療を受けるのは、良い選択ではない。したがって、患者がいつでも医者の指示に従って、自分自身を治療できるように、小型化され、操作が容易で、持ち運び及び使用が容易な痛風治療器具及び対応する治療方法を提供することは必要かつ急務である。
【０００６】
先行技術には、痛風に対するエネルギーベースの治療方法があり、例えば米国特許登録公告番号ＵＳ９５９７０９９は、特定の共振周波数を有する尿酸結晶の近くにエネルギー放出デバイスを配置し、このエネルギー放出デバイスを使用して設定された周波数のエネルギーを組織に印加し、それによって尿酸結晶の全体または一部を崩壊させ、次に崩壊された尿酸結晶体を除去することを含む医療手順を実施する方法を開示する。しかし、この特許は、尿酸結晶を分解するために使用される具体的なエネルギー形態とそれが達成できる効果については説明していない。
【０００７】
また、例えばＣＮ１０３９７７５０７及びＣＮ２５２７３０３等の携帯式または装着式治療器具を開示するいくつかの既存の技術もあり、医療機関で使用される大型または中型の物理療法器具と比較して、それらは全体の体積と治療ヘッドの面積を大幅に削減し、携帯性の問題を解決したが、長時間使用または長期使用には便利ではないし、特に、形状が不規則で、人によって異なる関節部位には汎用性が低くて、痛風またはその他の体及び関節の疼痛の治療に効果的に使用することは困難である。
【発明の概要】
【発明が解決しようとする課題】
【０００８】
従来技術の欠点を克服するために、本発明の目的は、操作が簡単で便利であり、様々な関節または人体の部位に広く適用でき、長期使用可能で、副作用がない痛風および疼痛緩和の治療装置および治療方法を提供することである。
【課題を解決するための手段】
【０００９】
上記の問題を解決するために、本発明によって採用される技術的解決策は、ホスト（１）と治療パッチ（２）とを含み、ホストは、電源（１０１）、メインコントローラー（１０２）、入力パネル（１０３）及び超音波発生器（１０４）を含み、治療パッチは、基材（２０１）と超音波プローブ（２０２）とを含み；メインコントローラーは、それぞれ電源、入力パネル、超音波発生器に接続され、超音波発生器は、超音波プローブに接続され、超音波プローブは、基材に取り付けられる超音波治療装置であって、電源は、メインコントローラーに電力を供給し、入力パネルは、ユーザーの指示をメインコントローラーに送信し、メインコントローラーは、超音波発生器を制御し、超音波発生器は、電気信号を送信し、超音波プローブは、超音波発生器によって送信された特定の電気信号を超音波に変換し、前記治療パッチの数は、１つまたは複数であり、各治療パッチに含まれた超音波プローブの数は、１つまたは複数であり、単一の治療パッチの超音波プローブの数が複数である場合、超音波プローブは、固定部にアレイ方式で配置され、使用する場合、前記基材は、人体の関節または部位に取り付けられ、複数の治療パッチは、自由に配置され、または異なる形状に組み合わせて形成され、同じまたは異なる部位に配置されることができ、治療する場合、超音波は、軽微な発熱機能を有する。
【００１０】
別の好ましい例では、前記超音波プローブのサイズは４ｍｍ２〜８ｃｍ２であり、厚さは≦１０ｍｍである。
【００１１】
好ましくは、前記超音波プローブのサイズは４ｍｍ２〜２ｃｍ２である。
【００１２】
好ましくは、前記超音波プローブの形状は円形である。
【００１３】
別の好ましい例では、前記超音波の出力は０．５〜５w／ｃｍ２であり、周波数は２００ＫＨｚ〜５ＭＨｚである。
【００１４】
別の好ましい例では、前記超音波は断続的及び連続的な二つの放出モードであり、断続的な放出モードの断続的時間は１００〜１００００ｍｓである。
【００１５】
別の好ましい例では、前記基材は、可撓性材料であり、基材は、接着性または吸着性を有する固定部を含む。
【００１６】
別の好ましい例では、前記電源は、ＤＣバッテリー、または充電式バッテリー、または外部電源コンバーターであり、電源電圧は≦２０Ｖである。
【００１７】
別の好ましい例では、前記治療パッチには、温度センサーをさらに含み、温度センサーは、メインコントローラーに接続され、メインコントローラーによって制御され、温度信号をメインコントローラーにフィードバックする。
【００１８】
別の好ましい例では、ホストと治療パッチが一つに統合される。
【発明の効果】
【００１９】
本発明の有益な効果は、本発明は、特に、不規則な形状、人によって異なる関節部位に対して、超音波で痛風または疼痛を効果的に緩和または治療することができ、優れた汎用性を有し、患者のニーズに応じて、いつでもどこでも携帯でき、副作用ないし、便利で安全かつ効果的である。
【図面の簡単な説明】
【００２０】
【図１】本発明の痛風及び疼痛の治療装置的組成の模式図である。
【図２】本発明の痛風及び疼痛の治療装置の一実施例の組成の模式図である。
【図３】本発明の痛風及び疼痛の治療装置の一実施例の外観の模式図である。
【図４】本発明の痛風及び疼痛の治療装置の一実施例の外観図である。
【図５】人体から取り出された痛風結節の新鮮な標本を本発明の治療装置によって照射される前後の状態の比較である。
【図６】人体から取り出された別の痛風結節の新鮮な標本を本発明の治療装置によって照射される前後の状態の比較である。
【発明を実施するための形態】
【００２１】
以下、本発明の好ましい実施例は、本発明の保護範囲のより明確な定義を作成するために、本発明の利点および特徴が当業者によってより容易に理解され得るように、添付の図面を参照して詳細に説明される。
【００２２】
実施例１
図２を参照すると、本発明の痛風及び疼痛の治療装置は、ホスト１と治療パッチ２とを含み、ホストは、電源１０１、メインコントローラー１０２、入力パネル１０３、及び超音波発生器１０４を含み、治療パッチは、基材２０１、超音波プローブ２０２及び温度センサー２０３を含む。
前記電源１０１は、ＤＣバッテリー、または充電式バッテリー、または外部電源コンバーターであり、電圧は≦２0Ｖである。
【００２３】
前記メインコントローラー１０２は、マイクロプロセッサを含み、その機能は、ユーザーによって設定された治療パラメータに従って、設備のテクニカルインデックス範囲内で、治療ユニットの超音波モジュールの信号出力を制御し、温度感知のモニタリングフィードバックの機能に協同して、装置全体を安定にし、確実に動作させることである。
【００２４】
前記入力パネル１０３は、ユーザーが機械とインタラクションするためのウィンドウであり、機械の様々なパラメータを設定するためのボタン、またはキー、またはタッチスクリーン、及び機械の実行状態を表示するためのディスプレイ、またはディスプレイランプ、またはディスプレイスクリーンを含む。
【００２５】
前記超音波発生器１０４は、超音波を発生し、発生する超音波の出力は０．５〜５w／ｃｍ２であり、周波数は２００ＫＨｚ〜５ＭＨｚであり、周波数は、人体の様々な部位及び人体重量に従って調製できる。
【００２６】
前記治療パッチ２の数は、１つまたは複数であり、使用する場合、複数の治療パッチは、自由に配置され、または異なる形状に組み合わせて形成され、各治療パッチに含まれた超音波プローブの数は、１つまたは複数であり、単一の治療パッチの超音波プローブの数が複数である場合、基材にアレイ方式で配置される。
【００２７】
前記基材２０１、治療パッチを人体の関節または部位に取り付け、接着性または吸着性を有する固定部によって固定される。
【００２８】
前記超音波プローブ２０２は、この設備のコア機能領域であり、治療パッチが患者の関節または他の疼痛部位に接触すると、超音波プローブは、痛風が発生する組織に超音波を伝導して、組織内の尿酸結晶または痛風結節等の沈着物が、震動作用によって完全にまたは部分的に破壊し、前記超音波プローブは、規則的または不規則な形状であることかでき、数は、１つまたは複数であり、厚さは、≦１０ｍｍであり、サイズは、４ｍｍ２乃至８ｃｍ２であり、超音波放出モードは、断続的または連続的であることができ、ここで、断続的な超音波放出モードの断続的時間は、１００〜１００００ｍｓであり、治療する場合、超音波プローブ、軽微な発熱機能を有する。
【００２９】
前記温度センサー２０３は、熱可変素子を介して温度をモニタリングし、メインコントローラーにフィードバックし、メインコントローラーは、ユーザーのプリセットパラメータまたは設備の安全実行パラメータに従って制御する温度サンプリング回路を含む。
【００３０】
実施例２
図３を参照すると、本発明の痛風及び疼痛の治療装置は、ホスト１及び治療パッチ２を含む。ホストと治療パッチとの間には、ワイヤーで接続され、ホストは、電源、メインコントローラー、入力パネル１０３、及び超音波発生器を含む。ホストは、ケーシングによって包まれ、電源、メインコントローラー及び超音波発生器はすべてケーシング内に包まれる。電源は、低電圧の充電可能なバッテリーを使用する。各治療パッチは、複数の超音波プローブ２０２を含み、超音波プローブは、基材２０１に取り付けられる。この実施例の治療パッチは、複数であり、治療の必要によって、各グループは、それぞれ痛風が発生する部位に貼付することができ、複数の治療パッチは、同じ部位に組み合わせて貼付することができ、基材は、医療テープが使用することができる。
【００３１】
実施例３
図４を参照すると、本発明の痛風及び疼痛の治療装置は、ホストと治療パッチとを含む。ホストと治療パッチが一つに統合される。治療パッチは、超音波プローブを含み、超音波プローブは、円形である。
【００３２】
実施例４
この実施例は、本発明の痛風及び疼痛の治療装置を使用して、人体から取り出された新鮮な痛風結節標本に対して照射する実験である。実験方法は次のとおりである。人体から取り出された新鮮な痛風結節標本をペトリ皿に入れ、ペトリ皿に少量の液体（生理食塩水）を加えて、液体が痛風結節標本を浸漬するようにし、この液体の作用は、痛風結節が位置する人体の組織での環境をシミュレーションすることである。治療装置の超音波プローブ（照射対象と接触する部位は、直径３ｃｍのディスク）を液体に接触させ、超音波治療装置に電源を入れ、超音波周波数は、８００ＫＨｚに設定し、強度は、２．５ｗ／ｃｍ２に設定し、照射する時間は、３０分に設定する。照射した後、痛風結節は、部分的に壊れて溶解されたことが分かる。照射する前後の痛風結節状態の比較については、図５を参照してください。これらの結果は、本発明の治療装置及び方法を使用して、痛風の治療に有効であることを示している。
【００３３】
実施例５
この実施例は、本発明の痛風及び疼痛の治療装置を使用して、人体から取り出された新鮮な痛風結節標本に対して照射する実験である。実験方法は次のとおりである。人体から取り出された新鮮な痛風結節標本をペトリ皿に入れ、ペトリ皿に少量の液体（生理食塩水）を加えて、液体が痛風結節標本を浸漬するようにし、この液体の作用は、痛風結節が位置する人体の組織での環境をシミュレーションすることである。超音波治療装置の超音波プローブ（照射対象と接触する部位は、直径２ｃｍのディスク）を液体に接触させ、超音波治療装置に電源を入れ、超音波周波数は、８００ＫＨｚに設定し、強度は、２ｗ／ｃｍ２に設定し、照射する時間は、３０分に設定する。照射した後、痛風結節は、部分的に壊れて溶解されたことが分かる。照射する前後の痛風結節状態の比較については、図６を参照してください。これらの結果は、本発明の治療装置及び方法を使用して、痛風の治療に有効であることを示している。
【００３４】
上記は、本発明の実施例にすぎず、本発明の特許範囲を限定するものではなく、本発明の説明および図面の内容を使用することによって行われる、同等の構造または同等のプロセス変換、または他の関連技術に直接的または間接的に適用されるのは、同様に、すべては、本発明の特許保護の範囲に含まれる。
【符号の説明】
【００３５】
図面の各部材の符号は次のようにつけられている。
１：ホスト
２：治療パッチ
１０１：電源
１０２：メインコントローラー
１０３：入力パネル
１０４：超音波発生器
２０１：基材
２０２：超音波プローブ
２０３：温度センサー
Ａ：超音波を照射する前の痛風結節の状態
Ｂ：超音波を３０分間照射する
Ｃ：照射した後の痛風結節の状態
【図１】
2021523815.tif 000003
【図２】
2021523815.tif 000004
【図３】
2021523815.tif 000005
【図４】
2021523815.tif 000006
【図５Ａ】
2021523815.tif 000007
【図５Ｂ】
2021523815.tif 000008
【図５Ｃ】
2021523815.tif 000009
【図６Ａ】
2021523815.tif 000010
【図６Ｂ】
2021523815.tif 000011
【図６Ｃ】
2021523815.tif 000012
【国際調査報告】
2021523815.tif 000013
2021523815.tif 000014
2021523815.tif 000015
2021523815.tif 000016